(57)【特許請求の範囲】
【請求項１】
段板および蹴込板を有する階段であって、
前記蹴込板は、垂直に配置される蹴込板本体と、この蹴込板本体の裏面を受け、前記段板上面と接続される受け部とを有し、
これら蹴込板本体および受け部の表面には、これらを連続させる被覆シートが貼られていることを特徴とする階段。
【請求項２】
請求項１に記載の階段において、
前記蹴込板本体および前記受け部の互いに向き合う端面は、展開状態で略９０度のＶ字溝状となるようなテーパ面とされていることを特徴とする階段。
【請求項３】
請求項１または請求項２に記載の階段において、
前記段板は、階段幅方向端部に設けられるささら板に架設され、該階段の手前側および奥側に設けられる２本の芯材により支持され、
前記被覆シート部材の蹴込板本体上端は、階段手前側の芯材に固定され、前記受け部は、前記段板を介して階段奥側の芯材に固定されることを特徴とする階段。
【請求項４】
請求項１から請求項３のいずれかに記載の階段において、
前記段板は、水平に配置される段板本体と、この段板本体の踏み面先端から垂下する折返し部とを有し、
前記段板本体および前記折返し部の表面には、これらを連続させる被覆シートが貼られていることを特徴とする階段。
【請求項５】
請求項４に記載の階段において、
前記段板本体および前記折返し部の互いに向き合う端面は、展開状態で略９０度のＶ字溝状となるようなテーパ面とされていることを特徴とする階段。
【請求項６】
請求項４または請求項５に記載の階段において、
前記蹴込板本体および前記受け部を連続させる被覆シートと、前記段板本体および前記折返し部を連続させる被覆シートと、が連続していることを特徴とする階段。
【請求項７】
段板および蹴込板を有する階段の施工方法であって、
基材表面に被覆シートを貼ったシート被覆材を、前記階段の蹴上げ寸法よりも大きな寸法に切り出し、裏面から溝を切り込んで前記基材を蹴込板本体および受け部に区画する工程と、
この受け部の被覆シート側を下段の段板の上面に接合し、溝部分の被覆シートを折り曲げて蹴込板本体を引き起こす工程と、
引き起こされた蹴込板本体の上端を上段の段板下面に接合する工程と、を備えていることを特徴とする階段の施工方法。
【請求項８】
請求項７に記載の階段の施工方法において、
前記蹴込板本体および前記受け部に区画する溝の切り込みは、前記蹴込板本体および前記受け部の互いに向き合う端面が、それぞれ４５度のテーパ面となるようなＶ字溝加工であることを特徴とする階段の施工方法。
【請求項９】
請求項７または請求項８に記載の階段の施工方法において、
基材表面に被覆シートを貼ったシート被覆材を、前記段板の奥行き寸法よりも大きな寸法に切り出し、裏面から溝を切り込んで前記基材を段板本体および折返し部に区画する工程と、
溝部分の被覆シートを折り曲げて、前記折り返し部を前記段板本体の裏面側に折り返し、該段板本体と接合する工程と、を備えていることを特徴とする階段の施工方法。
【請求項１０】
請求項９に記載の階段の施工方法において、
前記段板本体および前記折返し部に区画する溝の切り込みは、前記段板本体および前記折返し部の互いに向き合う端面が、それぞれ４５度のテーパ面となるようなＶ字溝加工であることを特徴とする階段の施工方法。
【請求項１１】
段板および蹴込板を有する階段の施工方法であって、
基材表面に被覆シートを貼ったシート被覆材を、前記階段の蹴上げ寸法および段板の奥行き寸法よりも大きな寸法に切り出し、裏面から少なくとも３本の溝を切り込んで前記基材を蹴込板本体、受け部、段板本体、および折返し部に区画する工程と、
前記段板本体および折返し部間の溝部分の被覆シートを折り曲げて、前記折返し部を前記段板本体の裏面側に折り返し、該段板本体と接合する工程と、
前記段板本体および受け部間の溝部分の被覆シートを折り曲げて、前記受け部の被覆シート側を、固定された段板本体の上面に接合するとともに、前記蹴込板本体を引き起こす工程と、
引き起こされた蹴込板本体の上端を上段の段板下面に接合する工程と、を備えていることを特徴とする階段の施工方法。
【請求項１２】
請求項１１に記載の階段の施工方法において、
前記段板本体および前記受け部に区画する溝の切り込みは、これらの間で前記被覆シートが所定幅で露出するような溝加工であることを特徴とする階段の施工方法。
【発明の詳細な説明】
【０００１】
【発明の属する技術分野】
本発明は、階段および階段の施工方法に関する。
【０００２】
【背景技術】
従来より、住宅等の建物、複数階層を結ぶ階段が用いられている。階段は、ささら桁に段板を支持する構造が基本となっている。階段の段板は、むく板に限らず芯材に面材を張るような構造もある。蹴込板のない素通し状のストリップ階段では、前述したような構造であるが、通常の階段では、上段段板の手前側下面と下段段板の奥側を結ぶ踏込板を設け、階段表側と裏側とを遮断している。
【０００３】
階段を施工する際には、各段板の高さと水平方向位置の精度を確保する必要があるが、実際には、誤差が生じる。このため、踏込板を設置する際には、踏込板下部と下段段板表面との水平方向位置決めと、踏込板上部と上段段板との高さ調整が必要である。具体的には、上段段板の手前側縁に合わせて蹴込板の水平位置を決め、この位置で蹴込板の下部を受ける受け材を段板の表面に釘打ち、この受け材に蹴込板の下部を接着し、蹴込板上端を上段段板の垂下部裏側に、垂直にずらして、固定する（特開平６−１０８６０３号公報）。
【０００４】
【発明が解決しようとする課題】
しかしながら、前述のような方法では、処理が煩雑であり、段板および蹴込板の垂直および水平方向の位置調整が難しいという問題がある。
【０００５】
本発明の目的は、段板の垂直および水平方向の位置調整を容易に行える階段および階段の施工方法を提供することにある。
【０００６】
【課題を解決するための手段】
上記目的を達するために、本発明の階段１、２、３、４は、段板２０および蹴込板３０を有する階段であって、前記蹴込板は、垂直に配置される蹴込板本体３１と、この蹴込板本体の裏面を受け、前記段板上面と接続される受け部３２とを有し、これら蹴込板本体および受け部の表面には、これらを連続させる被覆シート１２が貼られていることを特徴とする。
ここで、被覆シートは、樹脂製、布製等、折り曲げ等の加工に耐える強度を持つものならば、任意の材質のものを採用できる。
【０００７】
このような本発明によれば、蹴込板本体および受け部の表面には、これらを連続させる被覆シートが貼られていることにより、蹴込板本体および受け部が一体で形成されるので、蹴込板本体の位置決めを行うだけで、下段段板への受け部接合位置を一義的に決めることができ、垂直および水平方向の位置調整を容易に行うことができる。
【０００８】
本発明の階段では、前記蹴込板本体および前記受け部の互いに向き合う端面５０Ａ、５０Ｂは、展開状態で略９０度のＶ字溝状となるようなテーパ面とされていることが好ましい。
これによれば、蹴込板本体および受け部の互いに向き合う端面は、展開状態で略９０度のＶ字溝状となるようなテーパ面とされていることにより、受け部を下段段板表面に取り付けた後、蹴込板本体を簡単に垂直に引き起こすことができるため、施工性が向上する。
【０００９】
本発明の階段では、前記段板は、階段幅方向端部に設けられるささら板に架設され、該階段の手前側および奥側に設けられる２本の芯材４０により支持され、前記被覆シート部材の蹴込板本体上端は、階段手前側の芯材に固定され、前記受け部は、前記段板を介して階段奥側の芯材に固定されることが好ましい。
これによれば、前記被覆シート部材の蹴込板本体上端は、階段手前側の芯材に固定され、前記受け部は、前記段板を介して階段奥側の芯材に固定されることにより、段板および蹴込板が階段構造を支持するささら板および芯材に直接固定されるので、階段構造全体を強固な構造にすることができる。
【００１０】
本発明の階段では、前記段板は、水平に配置される段板本体２１と、この段板本体の踏み面先端から垂下する折返し部２２、２２Ａ、２２Ｂとを有し、前記段板本体および前記折返し部の表面には、これらを連続させる被覆シートが貼られていることが好ましい。
これによれば、前記段板本体および前記折返し部の表面には、これらを連続させる被覆シートが貼られていることにより、段板設置後、別途折返し部を段板に取り付ける必要がないので、階段の施工を簡略化することができる。
【００１１】
本発明の階段では、前記段板本体および前記折返し部の互いに向き合う端面は、展開状態で略９０度のＶ字溝状となるようなテーパ面とされていることが好ましい。
これによれば、前記段板本体および前記折返し部の互いに向き合う端面５２Ａ、５２Ｂ、５３Ａ、５３Ｂは、展開状態で略９０度のＶ字溝状となるようなテーパ面とされていることにより、これら端面同士を接着するだけで、段板の踏み面先端から垂下する折返し部を形成できるため、施工性が一層向上する。
【００１２】
本発明の階段では、前記蹴込板本体および前記受け部を連続させる被覆シートと、前記段板本体および前記折返し部を連続させる被覆シートと、が連続していることが好ましい。
これによれば、前記蹴込板本体および前記受け部を連続させる被覆シートと、前記段板本体および前記折返し部を連続させる被覆シートと、が連続していることにより、段板と蹴込板に貼られている被覆シート全てが連続しているので、階段を構成する部材を全て一部材化することができ、階段施工に必要な部品点数を大幅に削減することができる。
【００１３】
本発明の階段の施工方法は、段板および蹴込板を有する階段の施工方法であって、基材表面に被覆シートを貼ったシート被覆材を、前記階段の蹴上げ寸法よりも大きな寸法に切り出し、裏面から溝を切り込んで前記基材を蹴込板本体および受け部に区画する工程と、この受け部の被覆シート側を下段の段板の上面に接合し、溝部分の被覆シートを折り曲げて蹴込板本体を引き起こす工程と、引き起こされた蹴込板本体の上端を上段の段板下面に接合する工程と、を備えていることを特徴とする。
【００１４】
このような本発明によれば、蹴込板および受け部が一体成形されることで、受け部を段板上面に取り付け、溝部分を垂直に引き起こすだけで、蹴込板を形成できるから、階段構成部材も容易に製造可能である。
また、基板裏面から溝加工を施すことで蹴込板本体および受け部に区画できるため、階段の施工を容易に行うことができる。
【００１５】
本発明の階段の施工方法では、前記蹴込板本体および前記受け部に区画する溝の切り込みは、前記蹴込板本体および前記受け部の互いに向き合う端面が、それぞれ４５度のテーパ面となるようなＶ字溝加工であることが好ましい。
これによれば、前記蹴込板本体および前記受け部の互いに向き合う端面は、同一形状、大きさであるので、蹴込板本体の引き起こしが容易である。
【００１６】
本発明の階段の施工方法では、基材１１表面に被覆シート１２を貼ったシート被覆材１０を、前記段板の奥行き寸法よりも大きな寸法に切り出し、裏面から溝を切り込んで前記基材を段板本体および折返し部に区画する工程と、溝部分の被覆シートを折り曲げて、前記折り返し部を前記段板本体の裏面側に折り返し、該段板本体と接合する工程と、を備えていることが好ましい。
【００１７】
これによれば、段板本体および折返し部が一体成形されることで、溝部分の被覆シートを折り曲げ、折返し部を段板本体の裏面側に折り返すだけで、段板を形成できるから、階段構成部材も容易に製造可能である。
また、基板裏面から溝加工を施すことで段板本体および折返し部に区画できるため、階段の施工を容易に行うことができる。
【００１８】
本発明の階段の施工方法では、前記段板本体および前記折返し部に区画する溝の切り込みは、前記段板本体および前記折返し部の互いに向き合う端面が、それぞれ４５度のテーパ面となるようなＶ字溝加工であることが好ましい。
これによれば、前記段板本体および前記折返し部の互いに向き合う端面は、同一形状、大きさであるので、折返し部の折り返しが容易である。
【００１９】
本発明の階段の施工方法は、段板および蹴込板を有する階段の施工方法であって、基材表面に被覆シートを貼ったシート被覆材を、前記階段の蹴上げ寸法および段板の奥行き寸法よりも大きな寸法に切り出し、裏面から少なくとも３本の溝５０、５１、５２、５３、５４を切り込んで前記基材を蹴込板本体、受け部、段板本体、および折返し部に区画する工程と、前記段板本体および折返し部間の溝部分の被覆シートを折り曲げて、前記折返し部を前記段板本体の裏面側に折り返し、該段板本体と接合する工程と、前記段板本体および受け部間の溝部分の被覆シートを折り曲げて、前記受け部の被覆シート側を、固定された段板本体の上面に接合するとともに、前記蹴込板本体を引き起こす工程と、引き起こされた蹴込板本体の上端を上段の段板下面に接合する工程と、を備えていることを特徴とする。
【００２０】
このような本発明によれば、蹴込板本体、受け部、段板本体、および折返し部が一体で形成されることで、折返し部を段板本体の裏面側に折り返し、段板本体と接合するだけで、段板を製造でき、また、蹴込板本体を引き起こし、上段の段板下面に接合するだけで、蹴込板を製造できるので、階段構成部材も容易に製造可能である。
また、蹴込板本体、受け部、段板本体、および折返し部が一体で形成されることで、段板および蹴込板を一義的に決めることができ、垂直および水平方向の位置調整を容易に行うことができる。
【００２１】
本発明の階段の施工方法では、前記段板本体および前記受け部に区画する溝の切り込みは、これらの間で前記被覆シートが所定幅で露出するような溝加工であることが好ましい。
これによれば、前記段板本体および前記受け部に区画する溝の切り込みは、これらの間で前記被覆シートが所定幅で露出するような溝加工であることにより、溝部分の被覆シートの折り曲げ加工に十分な長さを取ることができるので、前記受け部の段板本体上面の奥行き方向位置を、上段の段板に応じて調整することができる。
【００２２】
【発明の実施の形態】
以下、本発明の実施の形態を図面に基づいて説明する。
［第１実施形態］
［１］階段
図１には、本発明の第１実施形態に係る階段１が示されている。階段１は、階段の斜面に沿って複数の段部を有し、階段方向端部に設けられるささら板（図示略）と、ささら板の段部上に設けられる段板２０と、各段板２０の間の垂直部分である蹴込板３０と、段板２０を下側から支え、ささら板の段部の角隅部分に設けられる芯材４０と、を備えて構成される。
段板２０は、階段の段を構成する段板本体２１と、段板本体２１の水平方向の断面を保護する折返し部２２と、から構成されている。段板本体２１は、水平な板状である。折返し部２２は、段板本体２１に対して鉤状に折り曲げられて形成されている。
【００２３】
蹴込板３０は、段板２０に対して垂直方向に立設される蹴込板本体３１と、この蹴込板本体３１の裏面を受け、段板２０上面と接続される受け部３２と、から構成されている。芯材４０は、断面矩形状の部材であり、一つは、段板２０の奥側の端部であり、受け部３２に対応する位置に配置され、釘４１が、受け部３２の上面側より打ち込まれ芯材４０中心部付近まで貫通、固定されている。
もう一つの芯材４０は、手前側の段板２０および蹴込板３０が交差する部分に両方に接触するように配置され、釘４１が、折返し部２２で隠れるように、蹴込板３０側より打ち込まれ芯材４０中心部付近まで貫通、固定されている。
【００２４】
これら段板２０および蹴込板３０は、１つの部材であるシート被覆材１０で構成されている。シート被覆材１０は、図２に示されるように、木製の基材１１と、基材１１表面に接着される樹脂製の被覆シート１２と、から構成されている。段板２０および蹴込板３０において、被覆シート１２が、表面側となり、基材１１が、裏面側に位置する。基材１１には、略被覆シート１２に達する深さに、溝５０、５１、５２、５３が形成されている。
【００２５】
溝５０は、蹴込板３０に相当する基材１１の部分を図示左側より、蹴込板本体３１および受け部３２に区画している。ここで、溝５０は、溝５０の蹴込板本体３１の基材１１の下端面である端面５０Ａおよび溝５０の受け部３２の基材１１の手前側端面である端面５０Ｂが、略９０度のＶ字溝状となるようなテーパ面とされている。受け部３２の被覆シート１２側の長さ寸法は、芯材４０の幅寸法よりも少し小さい程度の寸法である。
【００２６】
溝５１は、基材１１全体を、図示左側より蹴込板３０および段板２０に区画している。ここで、溝５１は、略線状の溝である。溝５１は、被覆シート１２を被覆シート１２同士が接するように折り曲げるのに十分な端広に形成されている。
【００２７】
溝５２は、段板２０に相当する基材１１の部分を図示左側より段板本体２１および折返し部２２に区画している。ここで、溝５２は、段板本体２１の基材１１の手前側端面である端面５２Ｂおよび折返し部２２の基材１１の上側端面である端面５２Ａが、略９０度のＶ字溝状となるようなテーパ面とされている。段板本体２１の被覆シート１２側の長さ寸法は、ささら板（図示略）段部の奥行き寸法よりも大きい。
【００２８】
溝５３は、折返し部２２に相当する基材１１の部分を図示左側より第一折返し部２２Ａおよび第二折返し部２２Ｂに区画している。ここで、溝５３は、第二折返し部２２Ｂの基材１１の手前側端面である端面５３Ｂおよび第一折返し部２２Ａの基材１１の下側端面である端面５３Ａが、略９０度のＶ字溝状となるようなテーパ面とされている。第一折返し部２２Ａの被覆シート１２側の長さ寸法は、シート被覆材１０の厚みおよび芯材４０の厚みを足したものよりも少し短く、第二折返し部２２Ｂの被覆シート１２側の長さ寸法は、第一折返し部２２Ａの被覆シート１２側の長さ寸法よりも少し短い。
【００２９】
［２］階段の施工方法
図２〜図６を参照して、階段１の施工方法について説明する。
図２に示すように、基材１１の表面に被覆シート１２を貼ったシート被覆材１０を段板２０の奥行き寸法および階段２の蹴上げ寸法をたした寸法よりも大きな寸法に切り出し、その裏面から溝５１を切り込んで基材１１を、段板２０の奥行き寸法よりも大きな段板２０側と、階段２の蹴上げ寸法よりも大きな蹴込板３０側とに区画する。
段板２０側では、蹴込板３０側とは、反対側の端縁に沿って基材１１の裏面から溝５２を切り込んで基材１１を段板本体２１と折返し部２２とに区画する。
【００３０】
折返し部２２は、さらに、基材１１の裏面から溝５３を切り込んで基材１１を第一折返し部２２Ａと、第二折返し部２２Ｂと、に区画する。
蹴込板３０側では、段板２０側の端縁に沿って基材１１の裏面から溝５０を切り込んで基材を蹴込板本体３１と受け部３２とに区画する。
【００３１】
第二折返し部２２Ｂを溝５３の端面５３Ａ、５３Ｂ同士が接触するように折り曲げ、次に、第一折返し部２２Ａを溝５２の端面５２Ａ、５２Ｂ同士が接触するように折り曲げることにより、折返し部２２を、段板本体２１の裏面側に折り返し、溝５２、５３で、接着剤等でそれぞれ端面５２Ａ、５２Ｂおよび端面５３Ａ、５３Ｂ同士を接着する（図３参照）。
【００３２】
図４に示すように、下側の蹴込板３０の蹴込板本体３１の上端は、ささら板（図示略）段部の角隅部分に固定された手前側の芯材４０の側面部分と釘４１によって貫通、固定する。そして、蹴込板３０と固定された手前側の芯材４０を、折返し部２２に近接するように位置調整し、また、釘４１の頭の部分が折返し部２２の第二折返し部２２Ｂで隠れるように、段板本体２１と接着剤等で接着、固定する。
【００３３】
その後、段板本体２１が、水平になるように、ささら板（図示略）段部の角隅部分に固定された奥側の芯材４０を段板本体２１の奥側の端部に位置調整し、この芯材４０および段板本体２１を、接着剤等で接着、固定する。
【００３４】
図４、５に示すように、受け部３２を溝５１で、被覆シート１２側が段板２０に接触するように折り曲げ、受け部３２の基材１１側より、釘４１を打ち込み、受け部３２の被覆シート１２側を、奥側の芯材４０に固定された段板本体２１の上面に接合し、受け部３２を、段板２０および奥側の芯材４０に、固定する。
【００３５】
次に、図５、６に示すように、蹴込板本体３１を溝５０の端面５０Ａ、５０Ｂ同士が接触するように折り曲げ、蹴込板本体３１が、段板２０に対して垂直になるように引き起こし、溝５０で、接着剤等でそれぞれ端面５０Ａ、５０Ｂ同士を接着する。その後、上段の手前側の芯材４０の側面の上面端部に、蹴込板本体３１の基材１１側の端部を揃えて、位置調整し、接着剤等で接着する。また、蹴込板本体３１は、被覆シート１２側より、釘４１を打ち込み、芯材４０の側面と固定する。
【００３６】
以上のような施工の手順で、完成した階段１は、通常の階段として、使用されるが、さらに、図７に示すように、リフォーム用として、既存の階段６の上側に、付設することもできる。
具体的には、既存の階段６は、ささら板（図示略）と、段板６０と、蹴込板６１と、芯材６２と、を備えて構成されている。段板６０は、上面に上側の蹴込板６１を固定する固定溝６０Ａが形成され、下面に下側の蹴込板６１を固定する固定溝６０Ｂが形成されている。これら固定溝６０Ａ、６０Ｂは、対称の位置に形成されている。蹴込板６１は、固定溝６０Ａ、６０Ｂに嵌め込まれ、固定されている。芯材６２は、固定溝６０Ｂに固定された下側の蹴込板６１と段板６０が直交している部位に配置され、接着剤等で接着、固定されている。
階段１は、受け部３２の基材１１側から段板２０から段板６０に釘４１によって貫通、固定され、また、蹴込板本体３１側から段板６０の側断面に釘４１によって貫通、固定される。
【００３７】
上述のような本実施形態によれば、次のような効果がある。
（１）蹴込板本体３１および受け部３２の表面には、これらを連続させる被覆シート１２が貼られていることにより、蹴込板本体３１および受け部３２が一体で形成されるので、蹴込板本体３１の位置決めを行うだけで、下段段板２０への受け部３２接合位置を一義的に決めることができ、垂直および水平方向の位置調整を容易に行うことができる。
（２）蹴込板本体３１および受け部３２の互いに向き合う端面５０Ａおよび端面５０Ｂが、展開状態で略９０度のＶ字溝状となるようなテーパ面とされていることにより、受け部３２を下段段板２０表面に取り付けた後、蹴込板本体３１を簡単に垂直に引き起こすことができるため、施工性が向上する。
【００３８】
（３）蹴込板３０の上端部分は、手前側の芯材４０に釘４１によって貫通固定され、蹴込板３０の下端部分は、段板２０を介して奥側の芯材４０に釘４１によって貫通固定されることにより、段板２０および蹴込板３０が階段構造を支持するささら板および芯材４０に直接固定されるので、階段構造全体を強固な構造にすることができる。
（４）段板本体２１および折返し部２２の表面には、これらを連続させる被覆シート１２が貼られていることにより、段板２０設置後、別途折返し部２２を段板２０に取り付ける必要がないので、階段１の施工を簡略化することができる。
【００３９】
（５）段板本体２１および折返し部２２の互いに向き合う端面５２Ｂおよび端面５２Ａは、展開状態で略９０度のＶ字溝状となるようなテーパ面とされていることにより、これら端面５２Ｂおよび端面５２Ａ同士を接着するだけで、段板２０の踏み面先端から垂下する折返し部２２を形成できるため、施工性が一層向上する。
（６）蹴込板本体３１および受け部３２を連続させる被覆シート１２と、段板本体２１および折返し部２２を連続させる被覆シート１２と、が連続していることにより、段板２０と蹴込板２０に貼られている被覆シート１２全てが連続しているので、階段１構成する部材を全て一部材化することができ、階段施工に必要な部品点数を大幅に削減することができる。
【００４０】
（７）蹴込板本体３１、受け部３２、段板本体２１、および折返し部２２が一体で形成されることで、折返し部２２を段板本体２１の裏面側に折り返し、段板本体２１と接合するだけで、段板２０を製造でき、また、蹴込板本体３１を引き起こし、上段の段板２０下面に接合するだけで、蹴込板３０を製造できるので、階段構成部材も容易に製造可能である。また、蹴込板本体３１、受け部３２、段板本体２１、および折返し部２２が一体で形成されることで、段板２０および蹴込板３０を一義的に決めることができ、垂直および水平方向の位置調整を容易に行うことができる。
（８）段板本体２１および受け部３２に区画する溝５１の切り込みは、これらの間で被覆シート１２が所定幅で露出するような溝加工であることにより、溝５１部分の被覆シート１２の折り曲げ加工に十分な長さを取ることができるので、受け部３２の段板本体２１上面の奥行き方向位置を、上段の段板２０に応じて調整することができる。
【００４１】
［第２実施形態］
次に本発明の第２実施形態を説明する。なお、以下の説明では既に説明した部分、部材と同一のものは同一符号を付してその説明を簡略する。
［１］階段
図８には、本発明の第２実施形態に係る階段２が示されている。第１実施形態の階段１では、段板本体２１の被覆シート１２奥側は、受け部３２の被覆シート１２と連続していたが、階段２は、段板本体２１の奥側の被覆シート１２が、受け部３２の被覆シート１２と別体である点が異なる。
また、図９に示すように、第１実施形態では、階段１を構成するためのシート被覆材１０は、１部材であったが、第２実施形態では、階段２を構成するためのシート被覆材１０は、段板２０に相当する部分のシート被覆材１０および蹴込板３０に相当する部分のシート被覆材１０の２部材が形成されているため、第１実施形態でのシート被覆材１０（図２参照）の溝５１がない点が異なる。
【００４２】
［２］階段の施工方法
図９〜図１３を参照して、階段２の施工方法について説明する。
図９に示すように、基材１１の表面に被覆シート１２を貼ったシート被覆材１０を一方側が段板２０の奥行き寸法よりも大きな寸法に切り出し、また、他方側が階段２の蹴上げ寸法よりも大きな寸法に切り出す。
【００４３】
段板２０の奥行き寸法より大きな寸法に切り出した側（図示右側）で、基材１１の裏面から溝５２を切り込んで基材１１を段板本体２１と折返し部２２とに区画する。折返し部２２では、さらに、基材１１の裏面から溝５３を切り込んで基材１１を第一折返し部２２Ａと、第二折返し部２２Ｂと、に区画する。
蹴上げ寸法よりも大きな寸法に切り出した側（図示左側）では、基材１１の裏面から溝５０を切り込んで基材を蹴込板本体３１と受け部３２とに区画する。
【００４４】
第二折返し部２２Ｂを溝５３の端面５３Ａ、５３Ｂ同士が接触するように折り曲げ、次に、第一折返し部２２Ａを溝５２の端面５２Ａ、５２Ｂ同士が接触するように折り曲げることにより、折返し部２２を、段板本体２１の裏面側に折り返し、溝５２、５３では、接着剤等でそれぞれ端面５２Ａ、５２Ｂおよび端面５３Ａ、５３Ｂ同士を接着する（図１０参照）。
【００４５】
図１１に示すように、下側の蹴込板３０の蹴込板本体３１の上端は、ささら板（図示略）段部の角隅部分に固定された手前側の芯材４０の側面部分と釘４１によって貫通、固定する。そして、蹴込板３０と固定された手前側の芯材４０を、折返し部２２に近接するように位置調整し、また、釘４１の頭の部分が折返し部２２で隠れるように、段板本体２１と接着剤等で接着、固定する。
【００４６】
その後、段板本体２１が、水平になるように、ささら板（図示略）段部の角隅部分に固定された奥側の芯材４０を段板本体２１の奥側の端部に位置調整し、この芯材４０および段板本体２１は、接着剤等で接着、固定する。
図１２に示すように、受け部３２の基材１１側より、釘４１を打ち込み、受け部３２の被覆シート１２側を、奥側の芯材４０に固定された段板本体２１の上面に接合し、受け部３２を、段板２０および奥側の芯材４０に、固定する。
【００４７】
次に、図１２、１３に示すように、蹴込板本体３１を溝５０の端面５０Ａ、５０Ｂ同士が接触するように折り曲げ、蹴込板本体３１が、段板２０に対して垂直になるように引き起こし、溝５０で、接着剤等でそれぞれ端面５０Ａ、５０Ｂ同士を接着する。その後、上段の手前側の芯材４０の側面の上面端部に、蹴込板本体３１の基材１１側の端部を揃えて、位置調整し、接着剤等で接着する。また、蹴込板本体３１を、被覆シート１２側より、釘４１を打ち込み、芯材４０の側面と固定する。
【００４８】
上述のような本実施形態によれば、前述の第１実施形態の効果に加えて（（６）を除く）次のような効果がある。
（９）蹴込板本体３１および蹴込板本体３１の表面には、これらを連続させる被覆シート１２が貼られていることにより、蹴込板本体３１および受け部３２が一体で形成されるので、蹴込板本体３１の位置決めを行うだけで、下段段板２０への受け部３２接合位置を一義的に決めることができ、垂直および水平方向の位置調整を容易に行うことができる。
（１０）段板２０設置後、別途折返し部２２を段板に取り付ける必要がないので、階段２の施工を簡略化することができる。
【００４９】
なお、本発明は前記各実施形態に限定されるものではなく、本発明の目的を達成できる範囲での変形、改良は、本発明に含まれるものである。例えば、段板２０としては、前記各実施形態では、図１の階段１、図２の階段２の折返し部２２のように、溝５２、５３を折り返して形成されたものを採用していたが、これに限られず、図１４の階段３のように、板状の段板本体２６と、下側に向かって、垂直に曲がっている部分である先端部２７と、からなる段板２５を含んで構成されるものを採用してもよい。なお、階段３は、階段２の段板２０を、図１４に示すように段板２５に入れ替えたものである。
【００５０】
また、１つのシート被覆材１０で、階段を構成する構造としては、階段１のように、受け部３２および段板本体２１の間に略線状の溝５１を形成して、被覆シート１２同士が、重なるように、折り曲げていたが、これに限られず、図１５に示すように、折返し部２２および蹴込板本体３１の間に幅広の溝５４を形成して、図１６に示すように、折返し部２２から被覆シート１２が回り込むようにして、蹴込板本体３１と連続させ、また、階段１では、受け部３２および段板本体２１の被覆シート１２が連続していたが、受け部３２および段板本体２１の被覆シート１２が連続していない階段４の構造を採用してもよい。
その他、本発明を実施する際の具体的な構造および形状等は、本発明の目的を達成できる範囲内で他の構造等としてもよい。
【００５１】
【発明の効果】
請求項１記載の発明によれば、蹴込板本体および受け部の表面には、これらを連続させる被覆シートが貼られていることにより、蹴込板本体および受け部が一体で形成されるので、蹴込板本体の位置決めを行うだけで、下段段板への受け部接合位置を一義的に決めることができ、垂直および水平方向の位置調整を容易に行うことができる。
【００５２】
請求項２記載の発明によれば、蹴込板本体および受け部の互いに向き合う端面は、展開状態で略９０度のＶ字溝状となるようなテーパ面とされていることにより、受け部を下段段板表面に取り付けた後、蹴込板本体を簡単に垂直に引き起こすことができるため、施工性が向上する。
【００５３】
請求項３記載の発明によれば、前記被覆シート部材の蹴込板本体上端は、階段手前側の芯材に固定され、前記受け部は、前記段板を介して階段奥側の芯材に固定されることにより、段板および蹴込板が階段構造を支持するささら板および芯材に直接固定されるので、階段構造全体を強固な構造にすることができる。
【００５４】
請求項４記載の発明によれば、前記段板本体および前記折返し部の表面には、これらを連続させる被覆シートが貼られていることにより、段板設置後、別途折返し部を段板に取り付ける必要がないので、階段の施工を簡略化することができる。
【００５５】
請求項５記載の発明によれば、前記段板本体および前記折返し部の互いに向き合う端面は、展開状態で略９０度のＶ字溝状となるようなテーパ面とされていることにより、これら端面同士を接着するだけで、段板の踏み面先端から垂下する折返し部を形成できるため、施工性が一層向上する。
【００５６】
請求項６記載の発明によれば、前記蹴込板本体および前記受け部を連続させる被覆シートと、前記段板本体および前記折返し部を連続させる被覆シートと、が連続していることにより、段板と蹴込板に貼られている被覆シート全てが連続しているので、階段を構成する部材を全て一部材化することができ、階段施工に必要な部品点数を大幅に削減することができる。
【００５７】
請求項７記載の発明によれば、蹴込板および受け部が一体成形されることで、受け部を段板上面に取り付け、溝部分を垂直に引き起こすだけで、蹴込板を形成できるから、階段構成部材も容易に製造可能である。また、基板裏面から溝加工を施すことで蹴込板本体および受け部に区画できるため、階段の施工を容易に行うことができる。
【００５８】
請求項８記載の発明によれば、前記蹴込板本体および前記受け部の互いに向き合う端面は、同一形状、大きさであるので、蹴込板本体の引き起こしが容易である。
【００５９】
請求項９記載の発明によれば、段板本体および折返し部が一体成形されることで、溝部分の被覆シートを折り曲げ、折返し部を段板本体の裏面側に折り返すだけで、段板を形成できるから、階段構成部材も容易に製造可能である。また、基板裏面から溝加工を施すことで段板本体および折返し部に区画できるため、階段の施工を容易に行うことができる。
【００６０】
請求項１０記載の発明によれば、前記段板本体および前記折返し部の互いに向き合う端面は、同一形状、大きさであるので、折返し部の折り返しが容易である。
【００６１】
請求項１１記載の発明によれば、蹴込板本体、受け部、段板本体、および折返し部が一体で形成されることで、折返し部を段板本体の裏面側に折り返し、段板本体と接合するだけで、段板を製造でき、また、蹴込板本体を引き起こし、上段の段板下面に接合するだけで、蹴込板を製造できるので、階段構成部材も容易に製造可能である。また、蹴込板本体、受け部、段板本体、および折返し部が一体で形成されることで、段板および蹴込板を一義的に決めることができ、垂直および水平方向の位置調整を容易に行うことができる。
【００６２】
請求項１２記載の発明によれば、前記段板本体および前記受け部に区画する溝の切り込みは、これらの間で前記被覆シートが所定幅で露出するような溝加工であることにより、溝部分の被覆シートの折り曲げ加工に十分な長さを取ることができるので、前記受け部の段板本体上面の奥行き方向位置を、上段の段板に応じて調整することができる。
【図面の簡単な説明】
【図１】本発明の第１実施形態の階段を示す図である。
【図２】図１の実施形態におけるシート被覆材の断面図（図２（Ａ））および底面図（図２（Ｂ））である。
【図３】図１の実施形態における折返し部の形成を示す図である。
【図４】図１の実施形態における段板の固定を示す図である。
【図５】図１の実施形態における受け部の固定を示す図である。
【図６】図１の実施形態における蹴込板本体の固定を示す図である。
【図７】本発明の第１実施形態の階段を示す使用例を示す図である。
【図８】本発明の第２実施形態の階段を示す図である。
【図９】図８の実施形態におけるシート被覆材の断面図（図９（Ａ））および底面図（図９（Ｂ））である。
【図１０】図８の実施形態における折返し部の形成を示す図である。
【図１１】図８の実施形態における段板の固定を示す図である。
【図１２】図８の実施形態における受け部の固定を示す図である。
【図１３】図８の実施形態における蹴込板本体の固定を示す図である。
【図１４】本発明の階段の第１変形例を示す図である。
【図１５】本発明の階段の第２変形例のシート被覆材の断面図を示す図である。
【図１６】本発明の階段の第２変形例を示す図である。
【符号の説明】
１、２、３、４      階段
１０      シート被覆材
１１      基材
１２      被覆シート
２０        段板
２１        段板本体
２２      折返し部
２２Ａ      第一折返し部
２２Ｂ      第二折返し部
３０      蹴込板
３１      蹴込板本体
３２      受け部
４０      芯材
５０、５１、５２、５３、５４      溝
５０Ａ、５０Ｂ、５２Ａ、５２Ｂ、５３Ａ、５３Ｂ      端面
【図１】
0004908702.tif 000002
【図２】
0004908702.tif 000003
【図３】
0004908702.tif 000004
【図４】
0004908702.tif 000005
【図５】
0004908702.tif 000006
【図６】
0004908702.tif 000007
【図７】
0004908702.tif 000008
【図８】
0004908702.tif 000009
【図９】
0004908702.tif 000010
【図１０】
0004908702.tif 000011
【図１１】
0004908702.tif 000012
【図１２】
0004908702.tif 000013
【図１３】
0004908702.tif 000014
【図１４】
0004908702.tif 000015
【図１５】
0004908702.tif 000016
【図１６】
0004908702.tif 000017